(57)【要約】【課題】小型化および各部品のレイアウトを簡素化することができる球出装置を提供する。【解決手段】色球排出回転体３１に色球供給開口３１ａと色球排出孔３２ｂとを設け、色球供給開口３１ａから供給された色球３０を回転運動に伴い色球排出孔３２ｂから排出させる。複数の収容空間５６を形成した色球収容体５１を色球排出回転体３１の色球供給部３１ａに近接させて回転自在に設け、収容空間５６に色球３０をそれぞれ収容させ、ステッピングモータ６１に色球収容体５１を回転駆動させる。色球排出回転体３１と色球収容体５１との間にストッパ７１を設置し、閉鎖時に色球収容体５１内の色球３０の色球排出回転体３１への流入を規制し、開放時に１つの色球３０の色球排出回転体３１への流入を許容するべく、ストッパ駆動部８１にストッパ７１を開閉駆動させ、複数色の色球３０から選択された１つの色球３０を排出させる。【選択図】図３
2008212326.tif 000002
【特許請求の範囲】
【請求項１】
複数種の識別球から選択された１種類の識別球を排出する球出装置であって、
識別球供給部と識別球排出孔とを有し、前記識別球供給部から供給された識別球を回転運動に伴い前記識別球排出孔から排出する識別球排出回転体と、
前記識別球排出回転体の前記識別球供給部に近接して回転自在に設けられ、複数の収容空間を有するとともに、前記複数種の識別球を当該収容空間にそれぞれ収容する識別球収容体と、
前記識別球収容体を回転駆動する収容体駆動手段と、
前記識別球排出回転体と前記識別球収容体との間に設置され、閉鎖時に前記識別球収容体に収容された識別球の前記識別球排出回転体への流入を規制し、開放時に前記選択された１種類の識別球の前記識別球排出回転体への流入を許容するストッパと、
前記ストッパを開閉駆動するストッパ駆動手段と
を備えたことを特徴とする球出装置。
【請求項２】
前記収容体駆動手段は、前記選択された１種類の識別球が前記識別球収容体から前記識別球排出回転体へ流入する際、前記識別球収容体を揺動させるステッピングモータを含むことを特徴とする、請求項１に記載の球出装置。
【請求項３】
前記識別球排出回転体から排出された識別球を前記識別球収容体に搬送する識別球搬送手段を更に備えたことを特徴とする、請求項１または請求項２に記載の球出装置。
【請求項４】
請求項１〜請求項３のいずれか１項に記載された球出装置を備えたことを特徴とするパチンコ遊技機。
【発明の詳細な説明】
【技術分野】
【０００１】
本発明は、電気信号に基づき複数種の選別球から選択された１種類の識別球を排出する回転式の球出装置に関し、抽選結果等の表示装置として利用され、福引抽選機や、ゲーム、パチンコ遊技機等に適用される。
【背景技術】
【０００２】
従来より商店街の抽選会などでは、無作為な抽選を行う抽選機として回転式球出抽選機が広く利用されている。この種の回転式球出抽選機は、回転自在の球箱に複数種に色分けされた多数の識別球を収容し、球箱が回転することによって収容された識別球のうちから１つを排出する。そして、排出された識別球の色を予め色ごとにきめられた等級に照らして抽選結果を判定するように利用される。
【０００３】
このような回転式球出抽選機では、識別球が十分に混合されていない場合などに上位級の識別球が全抽選の初期に集中的に出てしまうようなこともあるため、各識別級をよりランダムに排出させるべくコンピュータで抽選を行い、別々の容器に収容された当たり球と外ずれ球とのうち、コンピュータによる抽選結果に基づき、該当する識別球を排出するように構成された抽選機の球出装置が提案されている（特許文献１参照）。
【０００４】
また、この球出装置を改良し、球箱に各種類につき１つの識別球のみを収容することで、装置の大型化を回避しつつ多種類の識別球を扱えるようにした抽選機の球出装置が提案されている（特許文献２参照）。この球出し装置は、識別級の種類に相当する数の収容庫と、収容庫ごと設置されるとともにその開閉によって収容された識別球の閉蓋および排出を行うシャッタと、これらシャッタをそれぞれ個別に開閉駆動する複数の駆動手段とを備えることにより、抽選結果に応じた識別球が排出されるようになっている。
【特許文献１】登録実用新案第３０８１１２９号公報
【特許文献２】特許第３７６７５９４号公報
【発明の開示】
【発明が解決しようとする課題】
【０００５】
しかしながら、特許文献１に記載の抽選機の球出装置では、識別球の種類を増やすには球出装置を大型にしなければならない。また、特許文献２に記載の抽選機の球出し装置では、用いる球数を減じたことによって装置の小型化が図られているが、各収容庫ごとにシャッタを開閉駆動する駆動手段を配置しなければならないため、装置の小型化には限度があるだけでなく、各部品のレイアウトが複雑になってしまうという問題があった。
【０００６】
本発明は、このような背景に鑑みなされたもので、小型化および各部品のレイアウトを簡素化することができる球出装置を提供することを目的とする。
【課題を解決するための手段】
【０００７】
上記課題を解決するために、請求項１の発明は、複数種の識別球から選択された１種類の識別球を排出する回転式球出装置であって、識別球供給部と識別球排出孔とを有し、前記識別球供給部から供給された識別球を回転運動に伴い前記識別球排出孔から排出する識別球排出回転体と、前記識別球排出回転体の前記識別球供給部に近接して回転自在に設けられ、複数の収容空間を有するとともに、前記複数種の識別球を当該収容空間にそれぞれ収容する識別球収容体と、前記識別球収容体を回転駆動する収容体駆動手段と、前記識別球排出回転体と前記識別球収容体との間に設置され、閉鎖時に前記識別球収容体に収容された識別球の前記識別球排出回転体への流入を規制し、開放時に前記選択された１種類の識別球の前記識別球排出回転体への流入を許容するストッパと、前記ストッパを開閉駆動するストッパ駆動手段とを備えた構成とする。
【０００８】
また、請求項２の発明は、請求項１に記載された回転式球出装置において、前記収容体駆動手段は、前記選択された１種類の識別球が前記識別球収容体から前記識別球排出回転体へ流入する際、前記識別球収容体を揺動させるステッピングモータを含む構成とする。
【０００９】
また、請求項３の発明は、請求項１または請求項２に記載された回転式球出装置において、前記識別球排出回転体から排出された識別球を前記識別球収容体に搬送する識別球搬送手段を更に備えた構成とする。
【００１０】
また、請求項４の発明は、パチンコ遊技機が請求項１〜請求項３のいずれか１項に記載された回転式球出装置を備えた構成とする。
【発明の効果】
【００１１】
請求項１の発明によれば、駆動手段を２つ備えるだけで多種類の識別球から選択された１種類の識別球を排出させることができる。そのため、部品点数が少なく各部品のレイアウトを簡素化できるとともに、回転式球出装置をより小型化することができる。したがって商店街の抽選会など、設置スペースに制限のない場合だけでなく、小スペースへの設置や移動用などにも好適である。また、請求項２の発明によれば、識別球収容体が揺動することにより、識別球がより円滑に識別球排出回転体へ流入するようになる。これにより、識別球収容体に埃が溜まったりべた付きが生じたりしていても、確実に識別球が識別球収容体から識別球排出回転体に供給される。
【００１２】
また、請求項３の発明によれば、排出された識別球が自動で識別球収容体に搬送されるため、各種類につき少なくも１つの識別球が備わっていれば、人手を要することなく連続的に球出しを行うことができる。これにより、識別球排出回転体がより一層小型化されるため、ゲーム機やパチンコ遊技機などの様々な用途への適用も可能となる。また、請求項４の発明によれば、液晶ディスプレイによる演出と異なり、識別球排出回転体から実物の識別球を排出するという演出がなされるため、遊技者の興味や期待感を増大することができるパチンコ遊技機が提供される。
【発明を実施するための最良の形態】
【００１３】
以下、本発明の実施の形態を、図面を参照しながら説明する。なお、各部材の説明をするに当たり、パチンコ機正面側、すなわち遊技者側を各部材の「前面」と、パチンコ機背面側を各部材の「背面」と称する。
≪実施形態の構成≫
図１は実施形態に係るパチンコ遊技機の正面図である。図１に示すように、パチンコ遊技機１は、遊技盤２と、遊技盤２の周囲に配置された枠セット３と、遊技盤２の下方に配置された上受け皿４、下受け皿５と、枠セット３の右側下方に回動自在に設置されたハンドル６等から構成されている。遊技盤２にはレールセット７が略円形状に配置され、ハンドル６の操作によって発射された遊技球の落下範囲を画定している。遊技盤２の略中央には、その内部に図柄表示装置９と回転式球出装置１０とを有するセンター飾り８が配置されている。図柄表示装置９は普通図柄表示装置１１と特別図柄表示装置１２とから構成されている。また、遊技盤２のレールセット７によって画定された領域内には、左中風車１３、右中風車１４、左ゲート１５、右ゲート１６、左袖入賞口１７、右袖入賞口１８、左下入賞口１９、右下入賞口２０、普通電動役物に係る入賞口である第１種始動口２１、大入賞口２２、アウト口２３等がそれぞれ適所に配置されている。
【００１４】
図２は回転式球出装置１０を一部破断して示す斜視図である。図２に示すように、回転式球出装置１０は、色球排出回転体３１（識別球排出回転体）と、色球排出回転体３１を回転駆動する回転体駆動部４１と、色球収容体５１（識別球収容体）と、色球収容体５１を回転駆動するステッピングモータ６１（収容体駆動手段）と、色球排出回転体３１と色球収容体５１との間に配置されたストッパ７１と、ストッパ７１を開閉駆動するストッパ駆動部８１（ストッパ駆動手段）と、色球搬送機構９１（識別球搬送手段）とを構成要素としている。そして回転式球出装置１０は、遊技者が色球排出回転体３１と色球搬送機構９１の一部とを視認できるような状態でセンター飾り８を構成する飾り板２４に組み込まれている。
【００１５】
図３は回転式球出装置１０の分解斜視図である。図２，図３に示すように、ストッパ７１は、飾り板２４に接合された色球流入規制板７２と、長方形の開閉板７３とから構成されている。色球流入規制板７２には色球３０が通過可能な大きさの色球流入用開口７４が形成されており、この色球流入用開口７４を形成する左右の直線部にはガイド溝７５，７６が形成されている。開閉板７３は、上部にスリット７９が形成されるとともに、垂直に延在する左右両辺に突条７７，７８が延設されており、この突条７７，７８がガイド溝７５，７６に係合することにより、開閉板７３が上下に摺動可能となっている。色球流入規制板７２および開閉板７３は、閉鎖時には色球３０が色球排出回転体３１に流入するのを規制するとともに、開閉板７３が上方に摺動した開放時には、１つの色球３０が色球排出回転体３１に流入するのを許容する。
【００１６】
ストッパ駆動部８１は、ソレノイド８２と、図示しないピンによって軸支された回動ピース８３とによって構成されている。回動ピース８３は、爪部８３ａが開閉板７３のスリット７９に内挿しており、側面に形成された２つの突起８３ｂがソレノイド８１のプランジャ８１ａに係合している。図示外のコントローラに接続されたソレノイド８１を作動させることで、開閉板７３が上下に開閉駆動される。
【００１７】
色球搬送機構９１は、色球受け部材９２と、下部通路部材９３と、上方搬送機構９４と、上部通路部材９５とから構成されている。色球受け部材９２は、色球排出回転体３１から排出された色球３０を受け止め、遊技者が色球３０の排出を認識するのに適切な時間だけ飾り板２４の前面側に色球３０を留めおく斜路部９２ａと、色球３０を飾り板２４の背面側へ回収する回収部９２ｂとを有している。下部通路部材９３は、飾り板２４の背面側に傾斜した状態に設置されており、回収部９２ｂから回収された色球３０は下部通路部材９３を通って上方搬送機構９４の入口へ搬送される。また、下部通路部材９３には色球３０の通過を検出する排出センサ９３ａが配置されている。
【００１８】
上方搬送機構９４は、垂直に配置された軸状回転体９６と、軸状回転体９６を回転駆動するステッピングモータ９７と、軸状回転体９６の外周面の一部を覆うように構成されたカバー５０とから構成されている。ステッピングモータ９７は図示外のコントローラに接続されており、このコントローラによって駆動制御される。軸状回転体９６は更に、軸部９６ａと、軸部９６ａの外周に螺旋状に設けられたスクリュー部９６ｂと、軸部９６ａの上端に設けられた逆円錐状の色球排出部９６ｃとから構成されている。同様に、カバー９８は更に、スクリュー部９６ｂに近接して垂直に延在する係止板９８ａと、軸部９６ａとの間に色球３０を受容する覆い部９８ｂとから構成されている。覆い部９８ｂの下部には開口９８ｃが形成されており、開口９８ｃへ搬送された色球３０は、軸状回転体９６が回転駆動されることにより、スクリュー部９６ｂと係止板９８ａとに係止されながら上方へ垂直に搬送され、色球排出部９６ｃに当接することよって上部通路部材９５へ排出される。上部通路部材９５は傾斜した状態に設定されており、色球３０を色球収容体５１へ搬送する。また、上部通路部材９５には、色球３０の通過を検出する回収センサ９５ａが配置されている。
【００１９】
図４は回転式球出装置１０の縦断面図であり、図５は図４中のＶ−Ｖ矢視図であり、図６は図４中のVI−VI矢視図である。図４，図５に示すように、色球排出回転体３１は八角柱形状を呈し、８つの側面の１つに色球排出孔３１ｂ（識別球排出孔）が形成されている。色球排出回転体３１の背面側の八角形の面は開放されており、隔壁３２によって２分された色球排出孔３２ｂ側（図面上側）部分は、色球３０が供給される色球供給開口３１ａ（識別球供給部）をなしている。色球排出回転体３１の中心部からは軸３３が水平に延出され、ベアリング３３を介して色球収容体５１に回転自在に軸支されている。
【００２０】
回転体駆動部４１は、ステッピングモータ４２と、ステッピングモータ４２の出力軸４２ａの先端に設置されたギヤ４３と、色球排出回転体３１の軸３３に設置されたギヤ４４と、ギヤ４３とギヤ４４とを連結するギヤベルト４５とから構成されている。図示外のコントローラに接続されたステッピングモータ４２を作動させることにより、色球排出回転体３１が回転する。
【００２１】
図４，図６に示すように、色球収容体５１は、中心部５２と、中心部５２から同心状に配置された外周壁５３，内周壁５４と、これらを連結する放射状且つ等角度に配置された複数の仕切り壁５５とから構成されている。外周壁５３、内周壁および仕切り壁５５によって色球３０を収容する複数の収容空間５６が形成されている。上部通路４７によって搬送された色球３０は、最上部に位置する収容空間５６に収容される。各収容空間５６ａ〜５６ｊは色分けされた各色球３０ａ〜３０ｊをそれぞれ収容している。図４に示すように、外周壁５３および内周壁５４は、収容した色球３０が回転駆動された時に色球収容体５１の背面側に落下することのないように、収容空間側の面には傾斜角度が与えられている。図には表れていないが、複数の仕切り壁５６もそれぞれ収容空間側の面に傾斜角度が与えられており、色球３０の落下が防止されている。
【００２２】
図４に示すように、色球収容体５１の中心部５２にはステッピングモータ６１の出力軸６１ａが内挿しており、ステッピングモータ６１を始動することで色球収容体５１が回転する。ステッピングモータ６１は図示外のコントローラに接続され、このコントローラに駆動制御されることによって選択された１種類の色球３０が最上部に配置されるとともに、ストッパ７１の開放時にはステッピングモータ６１が小刻みに回転方向を切り換えて色球収容体５１を揺動させる。これにより、ストッパ７１が開放されると、所望の色球３０が内周壁５４を転動して円滑に色球排出回転体３１に流入する。色分けされた各色球３０ａ〜３０ｊの収容位置は固定されており、一旦球出しされた後にも回収／搬送された際には同じ収容空間に収容される。
【００２３】
≪実施形態の作用効果≫
このように、色球排出回転体３１を回転体駆動部４１で電動式に回転駆動した場合、回転式球出装置１０は、ステッピングモータ６１と、ストッパ駆動部８１との２つの駆動手段を備えるだけで多色の色球３０から選択された１種類の色球３０が排出されるようになっている。そのため、回転式球出装置１０は、これを構成する部品点数が少なく、各部品のレイアウトが簡素化されているとともに、全体が小型化されている。また、色球搬送機構９１の１駆動手段が追加されることにより、排出された色球３０が自動で色球収容体５１に搬送される。したがって、各色につき少なくも１つの識別球が備わっていれば、回転式球出装置１０は連続的に球出しを行うことができるともに、より一層小型化されるため、パチンコ遊技機１の遊技盤２への組み込みが容易になっている。
【００２４】
更に、色球３０が色球収容体５１から色球排出回転体３１に流入する際に、ステッピングモータ６１が色球収容体５１を揺動させることにより、色球３０がより円滑に色球排出回転体３１へ流入するようになっている。従って、色球収容体５１に埃が溜まったりべた付きが生じたりしていても、色球３０は確実に色球排出回転体３１に供給される。また、回転式球出装置１０をパチンコ遊技機１に適用したことにより、液晶ディスプレイによる演出と異なり、色球排出回転体３１から実物の色球３０が排出されるという演出がなされるため、遊技者の興味と期待感を一層増加できるパチンコ遊技機が提供されている。
【実施例】
【００２５】
次に実施形態に係るパチンコ遊技機１に備えられた回転式球出装置の制御例について、図１を参照しながら説明する。遊技者の操作によって発射された遊技球は遊技盤２上部からレールセット７によって画定された領域内を落下する。そして遊技球が左ゲート１５または右ゲート１６を通過すると、普通図柄表示装置１１が作動し図柄の変動を開始する。普通図柄表示装置１１が変動を停止し、表示された図柄が特定の組合せとなった場合、すなわち当たりとなった場合、第１種始動口２１の普通電動役物が作動し第１種始動口２１が拡大する。そして遊技球が第１種始動口２１に入賞すると特別図柄表示装置１２が作動し、図柄の変動を開始する。各図柄は所定時間変動した後に停止し、表示された３つの図柄が揃った場合、すなわち大当たりとなった場合、第１種特別電動役物が作動して大入賞口２２が開放される。
【００２６】
特別図柄表示装置１２に１列に配置された３つの図柄は左側から順番に変動が停止して表示される。ここで、３つの図柄が揃うか否か、すなわち大当たりとなるか否かの抽選は所定の確率で乱数生成器によって行われており、低確率中に所定の図柄の組合せが表示された場合、抽選確率が高確率に移行する。特に低確率中に、遊技者は変動の停止を待ちながら、表示される図柄が３つ揃うことを期待する。そして、回転式球出装置１０は、図柄の変動が開始された後、左端の図柄が停止する前に作動し、色球３０を排出する（以下、第１回排出と称す）。この第１回排出時には、左端の図柄と中央の図柄とが揃う確率を示す予告装置として機能する。２つの図柄が揃った場合、左端および中央の図柄が停止した後、右端の図柄が停止する前に、再度回転式球出装置１０が作動し、色球３０を排出する（以下、第２回排出と称す）。この第２回排出時には、右端の図柄が他の２つの図柄と揃う確率を示す予告装置として機能する。
【００２７】
色球３０は、赤、黄、青、白、黒の５色に色分けされており、図柄の揃う確率がそれぞれ９５％、７５％、５０％、２５％、５％に設定されている。したがって、乱数生成器の抽選結果が大当たりであった場合、例えば赤色の色球３０は、第１回排出時に、９５／（９５＋７５＋５０＋２５＋５）＝３８％の確率で排出されるように設定されている。同様に第２回排出時においても赤色の色球３０は３８％の確率で排出される。色球収容体５１には各色につき２つの色球３０が収容されているため、同じ色の色球３０を連続して排出することも可能となっている。
【００２８】
このように、特別図柄表示装置１２の変動中に、回転式球出装置１０から色球３０が排出されると、遊技者は大当たりとの関連性を感じることによって興味を掻き立てられ、赤色の色球３０が排出された場合に大当たりが出る確率が高いことを認識するにつれ、出球への期待感と、赤色の色球３０が出た際の大当たりへの期待感とをつのらせるため、魅力の一層高められた遊技機１が提供される。
【００２９】
以上で具体的実施形態についての説明を終えるが、本発明は上記各実施形態に限定されるものではない。例えば、上記実施形態は回転式球出装置をパチンコ遊技機に適用したものであるが、パチスロ遊技機やゲーム機等、その他の機器にも当然に適用可能である。更には、回転式球出装置を単体で使用し、コンピュータが行った抽選結果の表示装置として用いてもよい。また、上記実施形態では、識別球として色球を用いているが、この他にも数字や記号が付されたものや、大きさや形状が異なることで識別性を有するな球を用いてもよい。また、識別球収容体の各収容空間が複数の識別球を収容するような形態としてもよく、このような形態とすれば、識別球の回収に時間が必要であっても同じ種類の識別球を連続的且つ短いインターバルで排出することが可能となる。更に、回転体駆動部、収容体駆動手段、ストッパ駆動手段および識別球搬送手段は、上記駆動源および運動伝達機構に限定されるものではなく、如何なる装置および機構を用いてもよい。なお、上記実施例についても、本発明の使用例を限定するものではなく、様々な使用方法を採用することができる。例えば、本実施形態では、色球排出回転体３１を回転駆動部４１で回転させる構成としているが、手動で回転させる構成としてもよい。更にこれら変更の他、本発明の趣旨を逸脱しない範囲であれば適宜変更可能である。
【図面の簡単な説明】
【００３０】
【図１】実施形態に係るパチンコ遊技機の正面図
【図２】実施形態に係る回転式球出装置の斜視図
【図３】実施形態に係る回転式球出装置を一部破断して示す分解斜視図
【図４】実施形態に係る回転式球出装置の縦断面図
【図５】図４中のＶ−Ｖ矢視図
【図６】図４中のVI−VI矢視図
【符号の説明】
【００３１】
１      パチンコ遊技機
２      遊技盤
１０    回転式球出装置
３０    色球（識別球）
３１    色球排出回転体（識別球排出回転体）
３１ａ  色球供給開口（識別球供給部）
３１ｂ  色球排出孔（識別球排出孔）
４１    回転体駆動部
５１    色球収容体（識別球収容体）
５６    収容空間
６１    ステッピングモータ（収容体駆動手段）
７１    ストッパ
７２    色球流入規制板
７３    開閉板
８１    ストッパ駆動部（ストッパ駆動手段）
８２    ソレノイド
９１    色球搬送機構（識別球搬送手段）
９７    ステッピングモータ
【図１】
2008212326.tif 000003
【図２】
2008212326.tif 000004
【図３】
2008212326.tif 000005
【図４】
2008212326.tif 000006
【図５】
2008212326.tif 000007
【図６】
2008212326.tif 000008